(57)【要約】【課題】耐用性と使用時の利便性に優れた可搬型給電装置を提供する。【解決手段】可搬型給電装置１は、天面と底面と前後左右の側面とを有し、収納空間Ｓを有するトランクボックス２０と、収納空間Ｓに収納される電源プラグ３１と、収納空間Ｓに収納されるインバータと、電力を出力するコンセントと、操作スイッチまたはパワーインジケータとを備える。トランクボックス２０は、底面と前後左右の側面とを有するケース２１と、天面を有するリッド２２とにより構成される。コンセントと操作スイッチまたはパワーインジケータとは、ケース２１のいずれかの同一面に設けられ、リッド２２は、リッド２２の後端部に設けられた軸Ａ１を中心に、ケース２１に対して回動するように構成され、リッド２２の回動により収納空間Ｓが開放され、収納空間Ｓから電源プラグ３１が取り出し可能になる。【選択図】図２
2020202744.tif 000002
【特許請求の範囲】
【請求項１】
天面と底面と前後左右の側面とを有し、内部に収納空間を有するトランクボックスと、
前記収納空間に収納され、外部の直流電源に接続される電源プラグと、
前記収納空間に収納され、前記電源プラグから入力された直流の電力を交流の電力に変換するインバータと、
前記インバータから出力された交流の電力を出力するコンセントと、
前記インバータを制御するために操作される操作スイッチとを備え、
前記トランクボックスは、前記底面と前記前後左右の側面とを有するケースと、前記天面を有するリッドとにより構成され、
前記コンセントと前記操作スイッチとは、前記ケースのいずれかの同一面に設けられ、
前記リッドは、当該リッドの後端部に設けられた軸を中心に、前記ケースに対して回動するように構成され、
前記リッドの回動により前記収納空間が開放され、当該収納空間から前記電源プラグが取り出し可能になる
ことを特徴とする可搬型給電装置。
【請求項２】
前記トランクボックスは、水平面に対して前記天面および前記底面を傾斜または直立させた運搬姿勢と、水平面に前記底面を載置させた載置姿勢とをとることが可能となっている
ことを特徴とする請求項１に記載の可搬型給電装置。
【請求項３】
前記操作スイッチは、前記ケースが有する前側側面、右側側面、または、左側側面に設けられている
ことを特徴とする請求項１または２に記載の可搬型給電装置。
【請求項４】
天面と底面と前後左右の側面とを有し、内部に収納空間を有するトランクボックスと、
前記収納空間に収納され、外部の直流電源に接続される電源プラグと、
前記収納空間に収納され、前記電源プラグから入力された直流の電力を交流の電力に変換するインバータと、
前記インバータから出力された交流の電力を出力するコンセントと、
前記コンセントの動作態様を発光により表示するパワーインジケータとを備え、
前記トランクボックスは、前記底面と前記前後左右の側面とを有するケースと、前記天面を有するリッドとにより構成され、
前記コンセントと前記パワーインジケータとは、前記ケースのいずれかの同一面に設けられ、
前記リッドは、当該リッドの後端部に設けられた軸を中心に、前記ケースに対して回動するように構成され、
前記リッドの回動により前記収納空間が開放され、当該収納空間から前記電源プラグが取り出し可能になる
ことを特徴とする可搬型給電装置。
【請求項５】
前記トランクボックスは、水平面に対して前記天面および前記底面を傾斜または直立させた運搬姿勢と、水平面に前記底面を載置させた載置姿勢とをとることが可能となっている
ことを特徴とする請求項４に記載の可搬型給電装置。
【請求項６】
前記インバータを制御するために操作される操作スイッチを備え、
前記操作スイッチは、前記ケースが有する前側側面、右側側面、または、左側側面に設けられている
ことを特徴とする請求項４または５に記載の可搬型給電装置。
【請求項７】
前記操作スイッチは、前記前側側面に設けられている
ことを特徴とする請求項３または６に記載の可搬型給電装置。
【請求項８】
前記インバータを制御するための電力が入力されるソケットを備え、
前記ソケットは、前記ケースが有する前側側面、右側側面、または、左側側面に設けられている
ことを特徴とする請求項１〜７のいずれか一項に記載の可搬型給電装置。
【請求項９】
前記収納空間に収納され、前記電源プラグと前記インバータとを繋ぐケーブルを備え、
前記トランクボックスの右側側面または左側側面には、前記リッドが閉じたときに前記ケーブルが挿通されるケーブル挿通口が形成されている
ことを特徴とする請求項１〜８のいずれか一項に記載の可搬型給電装置。
【請求項１０】
左右方向における前記トランクボックスの寸法は、前後方向における前記トランクボックスの寸法に比べて大きい
ことを特徴とする請求項１〜９のいずれか一項に記載の可搬型給電装置。
【請求項１１】
前記トランクボックスは、前記ケースが有する前記底面に設けられたキャスターと、前記ケースに対して左右方向にスライドするハンドルとを備え、
前記トランクボックスは、前記キャスターのみを水平面に接触させ、前記ハンドルが把持されることで運搬可能とされる
ことを特徴とする請求項１〜１０のいずれか一項に記載の可搬型給電装置。
【発明の詳細な説明】
【技術分野】
【０００１】
本発明は、交流の電力を供給する運搬可能な可搬型給電装置に関する。
【背景技術】
【０００２】
電気自動車（ＰＨＥＶを含む）および燃料電池自動車の利点として、それらの自動車が出力する電力を、交流の電力で動作する一般的な電力消費機器の電源として利用できることが挙げられる。直流電源であるバッテリや燃料電池から供給される直流の電力を交流の電力に変換し、交流の電力を電力消費機器に供給する給電装置として、例えば特許文献１に記載のものが知られている。
【０００３】
特許文献１に記載の電力変換装置は、インバータ等を収納した略矩形状の筐体を備えており、筐体の後部に設けられた後収納部には、外部の直流電源に接続される電源プラグおよびケーブルが収納され、筐体の前部に設けられた前収納部には、交流の電力を出力するコンセントが収納されている。また、筐体の後部には、電源プラグおよびケーブルを覆う開閉可能な後カバーが設けられ、筐体の前部には、コンセントを覆う開閉可能な前カバーが設けられている。
【先行技術文献】
【特許文献】
【０００４】
【特許文献１】特開２０１６−１５４４０４号公報
【発明の概要】
【発明が解決しようとする課題】
【０００５】
しかしながら、上記の電力変換装置は、後カバーおよび前カバーにより、雨等から電源プラグおよびコンセントを保護することができるものの、電源プラグを取り出す場合には、ユーザが筐体の後方に移動して後カバーを開ける必要があり、使用時の利便性が悪いという問題があった。
【０００６】
本発明は、上記事情に鑑みてなされたものであって、耐用性と使用時の利便性に優れた可搬型給電装置を提供することを課題とする。
【課題を解決するための手段】
【０００７】
上記課題を解決するため、請求項１に記載の可搬型給電装置は、天面と底面と前後左右の側面とを有し、内部に収納空間を有するトランクボックスと、前記収納空間に収納され、外部の直流電源に接続される電源プラグと、前記収納空間に収納され、前記電源プラグから入力された直流の電力を交流の電力に変換するインバータと、前記インバータから出力された交流の電力を出力するコンセントと、前記インバータを制御するために操作される操作スイッチとを備え、前記トランクボックスは、前記底面と前記前後左右の側面とを有するケースと、前記天面を有するリッドとにより構成され、前記コンセントと前記操作スイッチとは、前記ケースのいずれかの同一面に設けられ、前記リッドは、当該リッドの後端部に設けられた軸を中心に、前記ケースに対して回動するように構成され、前記リッドの回動により前記収納空間が開放され、当該収納空間から前記電源プラグが取り出し可能になることを特徴とする。
【０００８】
また、上記課題を解決するため、請求項４に記載の可搬型給電装置は、天面と底面と前後左右の側面とを有し、内部に収納空間を有するトランクボックスと、前記収納空間に収納され、外部の直流電源に接続される電源プラグと、前記収納空間に収納され、前記電源プラグから入力された直流の電力を交流の電力に変換するインバータと、前記インバータから出力された交流の電力を出力するコンセントと、前記コンセントの動作態様を発光により表示するパワーインジケータとを備え、前記トランクボックスは、前記底面と前記前後左右の側面とを有するケースと、前記天面を有するリッドとにより構成され、前記コンセントと前記パワーインジケータとは、前記ケースのいずれかの同一面に設けられ、前記リッドは、当該リッドの後端部に設けられた軸を中心に、前記ケースに対して回動するように構成され、前記リッドの回動により前記収納空間が開放され、当該収納空間から前記電源プラグが取り出し可能になることを特徴とする。
【０００９】
上記構成によれば、インバータは勿論のこと、給電を行わないとき電源プラグはトランクボックス内の収納空間に収納されるため、電源プラグが外部環境に長期間晒されることなく、可搬型給電装置の劣化を抑えて長期保管に対応することができる。また、ユーザは、使用時にはトランクボックスの前方の位置で、リッドを開けてトランクボックスから電源プラグを取り出す作業と、コンセントに電力消費機器のプラグを差し込む作業とを行うことができる。したがって、ユーザは、可搬型給電装置の周囲を動き回らずに、電源プラグを取り出す作業およびコンセントにプラグを差し込む作業を行うことができる。以上のとおり、本発明によれば、耐用性と使用時の利便性に優れた可搬型給電装置を提供することができる。
【００１０】
また、請求項２に記載の可搬型給電装置は、請求項１に記載の可搬型給電装置において、前記トランクボックスは、水平面に対して前記天面および前記底面を傾斜または直立させた運搬姿勢と、水平面に前記底面を載置させた載置姿勢とをとることが可能となっていることを特徴とする。また、請求項５に記載の可搬型給電装置は、請求項４に記載の可搬型給電装置において、前記トランクボックスは、水平面に対して前記天面および前記底面を傾斜または直立させた運搬姿勢と、水平面に前記底面を載置させた載置姿勢とをとることが可能となっていることを特徴とする。この構成によれば、トランクボックスを載置姿勢にすることでユーザは安定して給電操作を行うことができる一方、トランクボックスを運搬姿勢にすることでトランクボックスを容易に運搬することができる。
【００１１】
また、請求項３に記載の可搬型給電装置は、請求項１または２に記載の可搬型給電装置において、前記操作スイッチは、前記ケースが有する前側側面、右側側面、または、左側側面に設けられていることを特徴とする。また、請求項６に記載の可搬型給電装置は、請求項４または５に記載の可搬型給電装置において、前記インバータを制御するために操作される操作スイッチを備え、前記操作スイッチは、前記ケースが有する前側側面、右側側面、または、左側側面に設けられていることを特徴とする。この構成によれば、操作スイッチがケースの後側側面にある構成に比べて、利便性により優れた可搬型給電装置を提供することができる。
【００１２】
また、請求項７に記載の可搬型給電装置は、請求項３または６に記載の可搬型給電装置において、前記操作スイッチは、前記前側側面に設けられていることを特徴とする。この構成によれば、操作スイッチとコンセントとが異なる側面に設けられている構成に比べて、利便性により一層優れた可搬型給電装置を提供することができる。
【００１３】
また、請求項８に記載の可搬型給電装置は、請求項１〜７のいずれか一項に記載の可搬型給電装置において、前記インバータを制御するための電力が入力されるソケットを備え、前記ソケットは、前記ケースが有する前側側面、右側側面、または、左側側面に設けられていることを特徴とする。この構成によれば、ソケットがケースの後側側面にある構成に比べて、利便性により優れた可搬型給電装置を提供することができる。
【００１４】
また、請求項９に記載の可搬型給電装置は、請求項１〜８のいずれか一項に記載の可搬型給電装置において、前記収納空間に収納され、前記電源プラグと前記インバータとを繋ぐケーブルを備え、前記トランクボックスの右側側面または左側側面には、前記リッドが閉じたときに前記ケーブルが挿通されるケーブル挿通口が形成されていることを特徴とする。この構成によれば、リッドを閉じた状態で可搬型給電装置を使用することができる。また、ケーブル挿通口がトランクボックスの前側側面に形成される構成に比べて、ケーブルをトランクボックスの後方に容易に延ばすことができる。
【００１５】
また、請求項１０に記載の可搬型給電装置は、請求項１〜９のいずれか一項に記載の可搬型給電装置において、左右方向における前記トランクボックスの寸法は、前後方向における前記トランクボックスの寸法に比べて大きいことを特徴とする。
【００１６】
また、請求項１１に記載の可搬型給電装置は、請求項１〜１０のいずれか一項に記載の可搬型給電装置において、前記トランクボックスは、前記ケースが有する前記底面に設けられたキャスターと、前記ケースに対して左右方向にスライドするハンドルとを備え、前記トランクボックスは、前記キャスターのみを水平面に接触させ、前記ハンドルが把持されることで運搬可能とされることを特徴とする。この構成によれば、トランクボックスを水平面から浮かせずに運搬することができ、運搬時の利便性に優れた可搬型給電装置を提供することができる。また、左右方向におけるトランクボックスの寸法が、前後方向におけるトランクボックスの寸法に比べて大きい場合には、ケースに対して前後方向にハンドルがスライドする構成に比べて、ハンドルのスライド量を大きくすることができ、運搬時の利便性により優れた可搬型給電装置を提供することができる。
【発明の効果】
【００１７】
本発明によれば、耐用性と使用時の利便性に優れた可搬型給電装置を提供することができる。
【図面の簡単な説明】
【００１８】
【図１】本発明の一実施形態に係る可搬型給電装置の概略構成図である。
【図２】本発明の一実施形態に係る可搬型給電装置の外観図であって、（Ａ）はトランクボックスが閉じている状態を示す斜視図であり、（Ｂ）はトランクボックスが開いている状態を示す斜視図である。
【図３】同実施形態に係る可搬型給電装置の外観図であって、（Ａ）は正面図であり、（Ｂ）は平面図である。
【図４】同実施形態に係る可搬型給電装置の外観図であって、（Ａ）は右側面図であり、（Ｂ）は左側面図である。
【図５】同実施形態に係る可搬型給電装置の外観図であって、（Ａ）は背面図であり、（Ｂ）は底面図である。
【図６】同実施形態に係る可搬型給電装置の使用態様を示す斜視図である。
【図７】同実施形態に係る可搬型給電装置の運搬態様を示す模式図である。
【発明を実施するための形態】
【００１９】
図面を参照して、本発明の可搬型給電装置１（以下「給電装置１」という）について説明する。図１は、給電装置１の概要図であって、図２〜図５は、給電装置１の外観図である。なお、図中の前後方向Ｘ、左右方向Ｙ、および、上下方向Ｚは、互いに直交する方向であり、上下方向Ｚは、鉛直方向に限定されない。
【００２０】
図１に示すように、給電装置１は、入力側コネクタ１１と、インバータ１２と、出力側コネクタ１３と、制御電源用コネクタ１４と、制御回路１５と、表示部１６と、操作スイッチ１７とを備えている。給電装置１は、外部の直流電源Ｐから入力された直流の電力を交流の電力に変換し、交流の電力を電力消費機器Ｃに供給する。
【００２１】
入力側コネクタ１１は、直流電源Ｐに接続される接続器であり、本実施形態では、後述する電源プラグ３１により構成されている。インバータ１２は、入力側コネクタ１１から入力された直流の電力を所望の交流の電力に変換する回路である。出力側コネクタ１３は、電力消費機器Ｃに接続される接続器であり、本実施形態では、後述するコンセント４１Ａ〜４１Ｃにより構成されている。制御電源用コネクタ１４は、直流電源Ｐに接続される接続器であり、本実施形態では、後述するソケット５１により構成されている。
【００２２】
制御回路１５は、制御電源用コネクタ１４から入力された電力によりインバータ１２を駆動する回路であって、ユーザによる操作スイッチ１７の操作に基づいてインバータ１２を制御する。表示部１６は、インバータ１２の動作態様を表示するように構成されており、本実施形態では、後述する発光素子４５Ａ〜４５Ｃにより構成されている。操作スイッチ１７は、インバータ１２を制御するためにユーザにより操作され、本実施形態では、後述する動作開始スイッチ４３、動作停止スイッチ４４、周波数切替スイッチ３３、および、非常用停止スイッチ３４により構成されている。
【００２３】
また、給電装置１は、内部に収納空間（以下「収納空間Ｓ」という）を有するトランクボックス２０（図２参照）を備えている。収納空間Ｓには、入力側コネクタ１１（電源プラグ３１）、インバータ１２、制御回路１５等が収納される。なお、図２以降において、インバータ１２および制御回路１５は、給電装置１の外部に露出しないように設けられているため図示されていない。
【００２４】
図２（Ａ）に示すように、トランクボックス２０は、略直方体となるように形成されており、図３〜図５に示すように、天面２０Ａと、底面２０Ｂと、前後左右の側面２０Ｃ〜２０Ｆ（前側側面２０Ｃ、後側側面２０Ｄ、右側側面２０Ｅ、左側側面２０Ｆ）とを有している。左右方向Ｙにおけるトランクボックス２０の寸法は、前後方向Ｘにおけるトランクボックス２０の寸法に比べて大きく、前後方向Ｘにおけるトランクボックス２０の寸法は、上下方向Ｚにおけるトランクボックス２０の寸法に比べて大きい。
【００２５】
トランクボックス２０は、水平面に底面２０Ｂを載置させた載置姿勢をとることが可能である。トランクボックス２０は、載置姿勢において、底面２０Ｂと前後左右の側面２０Ｃ〜２０Ｆとを有するとともに上方に向けて開口可能なケース２１と、天面２０Ａを有するとともに収納空間Ｓを上方から覆うリッド２２とにより構成されている。リッド２２は、リッド２２の後端部に設けられた軸Ａ１を中心に、ケース２１に対して回動するように構成されている。
【００２６】
図２（Ｂ）に示すように、収納空間Ｓには、電源プラグ３１およびケーブル３２が収納されるとともに、周波数切替スイッチ３３および非常用停止スイッチ３４が設けられている。軸Ａ１を中心にリッド２２が回動することで、収納空間Ｓが開放され、収納空間Ｓから電源プラグ３１が取り出し可能になり、各スイッチ３３，３４が操作可能になる。
【００２７】
電源プラグ３１は、電気自動車または燃料電池自動車に設けられたバッテリコネクタ（図示略）に接続される入力側コネクタ１１であって、バッテリコネクタに接続されることで直流電源Ｐであるバッテリに接続される。ケーブル３２は、可撓性を有する電線であって、電源プラグ３１とインバータ１２とを繋ぐ。
【００２８】
周波数切替スイッチ３３は、交流の電力の周波数を選択するためのロッカースイッチである。周波数切替スイッチ３３が操作されることで、制御回路１５が、インバータ１２で生成される電力の周波数を６０Ｈｚおよび５０Ｈｚの一方から他方に変更する。
【００２９】
非常用停止スイッチ３４は、電力の変換および出力を停止させるための押しボタンスイッチである。非常用停止スイッチ３４が操作されることで、制御回路１５が、インバータ１２での電力の変換を停止させる。
【００３０】
図３（Ａ）に示すように、前側側面２０Ｃには、コンセント４１Ａ〜４１Ｃと、コンセントカバー４２と、動作開始スイッチ４３と、動作停止スイッチ４４と、発光素子４５Ａ〜４５Ｃと、ルーバー付通気口４６と、フック４７Ａ，４７Ｂと、ハンドル４８とが設けられている。
【００３１】
コンセント４１Ａ〜４１Ｃは、電力を出力するレセプタクルである。コンセント４１Ａ〜４１Ｃは、それぞれ、電力消費機器Ｃの電源プラグ（図示略）が接続される出力側コネクタ１３であり、インバータ１２から出力（変換）された交流の電力を出力する。
【００３２】
コンセントカバー４２は、コンセント４１Ａ〜４１Ｃを覆っている。図中の軸Ａ２を中心にコンセントカバー４２が回動して開くことで、コンセント４１Ａ〜４１Ｃに電力消費機器Ｃのプラグを接続できるように構成されている。また、コンセントカバー４２が閉じることで、コンセント４１Ａ〜４１Ｃを風雨等から保護することができるように構成されている。図２（Ａ）はコンセントカバー４２が閉じている状態を示し、図２（Ｂ）はコンセントカバー４２が開いている状態を示している。なお、コンセントカバー４２の下端部と前側側面２０Ｃとの間には空間が形成され、コンセント４１Ａ〜４１Ｃに電力消費機器Ｃのプラグが挿し込まれている状態においても、コンセント４１Ａ〜４１Ｃと電力消費機器Ｃのプラグとの接続部位がコンセントカバー４２によって上方から覆われ、コンセント４１Ａ〜４１Ｃが風雨等から保護されるように構成されている。
【００３３】
動作開始スイッチ４３は、電力の変換および出力を開始させるための押しボタンスイッチであり、動作停止スイッチ４４は、電力の変換および出力を停止させるための押しボタンスイッチである。動作開始スイッチ４３が操作されることで、制御回路１５がインバータ１２での電力の変換を開始させ、動作停止スイッチ４４が操作されることで、制御回路１５がインバータ１２での電力の変換を停止させる。
【００３４】
発光素子４５Ａ〜４５Ｃは、パワーインジケータである。発光素子４５Ａ〜４５Ｃは、それぞれ、コンセント４１Ａ〜４１Ｃの動作態様を発光により表示する表示部１６であって、例えば、コンセント４１Ａが電力を出力している場合は、発光素子４５Ａが点灯し、コンセント４１Ａが電力を出力していない場合は、発光素子４５Ａが消灯する。
【００３５】
通気口４６は、収納空間Ｓと外部空間とを連通している。本実施形態では、通気口４６は吸気口であって、トランクボックス２０の内部に設けられた冷却ファン（不図示）により、通気口４６からトランクボックス２０内に空気が吸入されるように構成されている。
【００３６】
フック４７Ａ，４７Ｂは、ケース２１の前端部とリッド２２の前端部とを接続するロック機構である。リッド２２を開ける際には、フック４７Ａ，４７Ｂによるロックは解除される。ハンドル４８は、図中の軸Ａ３を中心に回動可能に構成され、ユーザはハンドル４８を把持することで、トランクボックス２０を方向転換したり持ち上げたり動かすことができる。
【００３７】
図３（Ｂ）に示すように、リッド２２の前端部にはフック４７Ａ，４７Ｂが設けられ、リッド２２の右端部にはフック５２が設けられ、リッド２２の左端部にはフック６２が設けられている。また、リッド２２の後端部には、軸Ａ１を含むヒンジ７１Ａ，７１Ｂが設けられている。
【００３８】
図４（Ａ）に示すように、右側側面２０Ｅには、ソケット５１と、フック５２と、ハンドル５３とが設けられている。
【００３９】
ソケット５１は、インバータ１２を制御するための電力が入力されるレセプタクルである。ソケット５１は、制御電力用ケーブル（不図示）を介して、電気自動車または燃料電池自動車に設けられたシガーソケット（図示略）に接続される制御電源用コネクタ１４であって、シガーソケットに接続されることで直流電源Ｐであるバッテリに接続される。ソケット５１には、風等から保護するためのコネクタカバー（図示略）が嵌められる。
【００４０】
フック５２は、ケース２１の右端部とリッド２２の右端部とを接続するロック機構である。リッド２２を開ける際には、フック５２によるロックは解除される。ハンドル５３は、図中の軸Ａ４を中心に回動可能に構成され、ユーザはハンドル５３を把持することで、トランクボックス２０を方向転換したり持ち上げたり動かすことができる。
【００４１】
図４（Ｂ）に示すように、左側側面２０Ｆには、ケーブル挿通口６１と、フック６２と、ハンドル６３とが設けられている。
【００４２】
ケーブル挿通口６１は、給電装置１の使用時おいてリッド２２が閉じたときにケーブル３２が挿通される開口である。給電装置１の非使用時には、ケーブル挿通口６１には、収納空間Ｓに外部から異物が侵入することを防ぐために、開口遮蔽板６１ａがケーブル挿通口６１に設けられている。給電装置１の使用時には、ケーブル３２の外周に嵌まる開口形成板６１ｂ（図６参照）がケーブル挿通口６１に設けられる。
【００４３】
フック６２は、ケース２１の左端部とリッド２２の左端部とを接続するロック機構である。リッド２２を開ける際には、フック６２によるロックは解除される。ハンドル６３は、図中の軸Ａ５を中心に回動可能に構成され、ユーザはハンドル６３を把持することで、トランクボックス２０を方向転換したり持ち上げたり動かすことができる。
【００４４】
図５（Ａ）に示すように、後側側面２０Ｄには、ヒンジ７１Ａ，７１Ｂと、ルーバー付通気口７２とが設けられている。
【００４５】
ヒンジ７１Ａ，７１Ｂは、左右方向Ｙに延びた軸Ａ１を中心にリッド２２が回動するように、ケース２１の後端部とリッド２２の後端部とを接続している。フック４７Ａ，４７Ｂ，５２，６２によるケース２１とリッド２２との接続を全て解除することで、リッド２２を回動させることができるように構成されている。
【００４６】
通気口７２は、収納空間Ｓと外部空間とを連通している。本実施形態では、通気口７２は排気口であって、トランクボックス２０の内部に設けられた冷却ファン（不図示）により、通気口７２からトランクボックス２０外に空気が排出されるように構成されている。
【００４７】
図５（Ｂ）に示すように、底面２０Ｂには、キャスター８１Ａ，８１Ｂと、ハンドル８２とが設けられている。
【００４８】
キャスター８１Ａ，８１Ｂは、ケース２１の左端部に回転可能に設けられた車輪である。トランクボックス２０の右端部を持ち上げ、水平面に対して天面２０Ａおよび底面２０Ｂを傾斜させたとき、トランクボックス２０の構成部品のうちキャスター８１Ａ，８１Ｂのみが水平面に接触させることができるように構成されている。
【００４９】
ハンドル８２は、ケース２１に対して左右方向Ｙにスライド可能に構成されている。給電装置１の非運搬時は、ハンドル８２は、右側側面２０Ｅから右方に突出しないようにトランクボックス２０の下端部に収納され、給電装置１の運搬時には、ハンドル８２が右方にスライドすることで右側側面２０Ｅから右方に突出するように構成されている。
【００５０】
図６は、給電装置１の使用態様を図示しており、図７は、給電装置１の運搬態様を図示している。なお、図面において、図中の矢印Ｈは水平方向を示し、図中の矢印Ｖは鉛直方向を示している。
【００５１】
図６に示すように、給電装置１の使用時に、トランクボックス２０は、水平面に底面２０Ｂを載置させた載置姿勢をとる。トランクボックス２０が載置姿勢をとることで、給電装置１を使用する準備作業（収納空間Ｓから電源プラグ３１を取り出す作業、コンセント４１Ａ〜４１Ｃ、電力消費機器のプラグを差し込む作業、および、ソケット５１に制御電力用ケーブルを差し込む作業）が可能な状態となる。また、給電装置１の使用時には、ケーブル挿通口６１にケーブル３２が挿通されることで、電源プラグ３１が外部の直流電源Ｐに接続されながらリッド２２が閉じた状態となる。
【００５２】
また、図７に示すように、給電装置１の運搬時に、トランクボックス２０は、水平面に対して、天面２０Ａおよび底面２０Ｂを傾斜させた運搬姿勢をとる。トランクボックス２０が運搬姿勢をとることで、キャスター８１Ａ，８１Ｂのみが水平面に接触した状態となる。
【００５３】
本実施形態によれば以下の効果を奏する。
（１）インバータ１２が収納空間Ｓに収納されるだけでなく、給電を行わないとき電源プラグ３１等は収納空間Ｓに収納されるため、電源プラグ３１が外部環境に長期間晒されることなく、給電装置１の劣化を抑えて長期保管に対応することができる。また、ユーザは、使用時にはトランクボックス２０の前方の位置で、リッド２２を開けてトランクボックス２０から電源プラグ３１を取り出す作業と、コンセント４１Ａ〜４１Ｃに電力消費機器Ｃのプラグを差し込む作業とを行うことができる。したがって、ユーザは、給電装置１の周囲を動き回らずに、電源プラグ３１を取り出す作業およびコンセント４１Ａ〜４１Ｃにプラグを差し込む作業を行うことができる。以上のとおり、本発明によれば、耐用性と使用時の利便性に優れた給電装置１を提供することができる。
【００５４】
（２）トランクボックス２０は、水平面に対して天面２０Ａおよび底面２０Ｂを傾斜させた運搬姿勢と、水平面に底面２０Ｂを載置させた載置姿勢とをとることが可能となっている。このため、トランクボックス２０を載置姿勢にすることでユーザは安定して給電操作を行うことができる一方、トランクボックス２０を運搬姿勢にすることでトランクボックス２０を容易に運搬することができる。
【００５５】
（３）動作開始スイッチ４３および動作停止スイッチ４４は、ケース２１の前側側面２０Ｃに設けられている。このため、操作スイッチがケース２１の後側側面２０Ｄにある構成に比べて、利便性により優れた給電装置１を提供することができる。また、各スイッチ４３，４４は、コンセント４１Ａ〜４１Ｃが設けられている前側側面２０Ｃに設けられているため、各スイッチ４３，４４とコンセント４１Ａ〜４１Ｃとが異なる側面に設けられている構成に比べて、利便性により一層優れた給電装置１を提供することができる。
【００５６】
（４）ソケット５１は、ケース２１の右側側面２０Ｅに設けられている。このため、ソケット５１がケース２１の後側側面２０Ｄにある構成に比べて、利便性により優れた給電装置１を提供することができる。
【００５７】
（５）トランクボックス２０の左側側面２０Ｆには、リッド２２が閉じたときにケーブル３２が挿通されるケーブル挿通口６１が形成されている。このため、リッド２２を閉じた状態で給電装置１を使用することができる。また、ケーブル挿通口６１が前側側面２０Ｃに形成される構成に比べて、ケーブル３２をトランクボックス２０の後方に容易に引き延ばすことができる。
【００５８】
（６）前後方向Ｘにおけるトランクボックス２０の寸法は、左右方向Ｙにおけるトランクボックス２０の寸法に比べて小さい。そして、ケース２１の前側側面２０Ｃおよび後側側面２０Ｄには、収納空間Ｓと外部空間とを連通する通気口４６，７２が形成されている。このため、一方の通気口４６から他方の通気口７２までの冷却風の流路が短く、冷却効率を高めることができる。
【００５９】
（７）トランクボックス２０は、底面２０Ｂに設けられたキャスター８１Ａ，８１Ｂと、ケース２１に対して左右方向Ｙにスライドするハンドル８２とを備え、トランクボックス２０は、運搬姿勢でキャスター８１Ａ，８１Ｂのみを水平面に接触させ、ハンドル８２が把持されることで運搬可能とされる。このため、トランクボックス２０を水平面から浮かせずに運搬することができ、運搬時の利便性に優れた給電装置１を提供することができる。また、左右方向Ｙにおけるトランクボックス２０の寸法が、前後方向Ｘにおけるトランクボックス２０の寸法に比べて大きい場合には、ケース２１に対して前後方向Ｘにハンドル８２がスライドする構成に比べて、ハンドル８２のスライド量を大きくすることができ、運搬時の利便性により優れた給電装置１を提供することができる。
【００６０】
（８）非常用停止スイッチ３４は、収納空間Ｓに収納されている。このため、動作停止スイッチ４４が外部環境に晒されることで故障した場合であっても、非常用停止スイッチ３４を操作することで、インバータ１２での電力の変換を停止させることができる。
【００６１】
（９）通気口４６が吸気口として構成されるとともに、通気口７２が排気口として構成されている。このため、トランクボックス２０から排気された温風を、トランクボックス２０の前方に位置する蓋然性が高いユーザに対して送風しないようにすることができる。
【００６２】
（１０）各側面２０Ｃ，２０Ｅ，２０Ｆには、ハンドル４８，５３，６３が設けられている。このため、キャスター８１Ａ，８１Ｂを接地させての搬送が困難な地形においては、ユーザは、ハンドル４８，５３，６３のいずれかを把持してトランクボックス２０を持ち上げることで（水平面に対して天面２０Ａおよび底面２０Ｂを直立させた状態にして）、運搬姿勢をとり運搬することも可能である。勿論、ユーザはハンドル４８，５３，６３のうち複数のハンドルを把持して運搬することも可能である。
【００６３】
本発明は、上記実施形態に限定されるものではなく、上記構成を適宜変更することもできる。例えば、上記実施形態を、以下のように変更して実施してもよく、以下の変更を組み合わせて実施してもよい。
【００６４】
ケーブル挿通口６１を右側側面２０Ｅに設けた構成を採用することもでき、この構成においても上記（５）の効果を奏することができる。また、各スイッチ４３，４４を、ケース２１が有する前後左右の側面２０Ｃ〜２０Ｆのうち、前側側面２０Ｃ以外の側面に設けてもよい。もっとも、ユーザの利便性の観点からは各スイッチ４３，４４を、コンセント４１Ａ〜４１Ｃと同様にケース２１の前側側面２０Ｃに設けることが好ましい。同様に、ソケット５１を、ケース２１が有する前後左右の側面２０Ｃ〜２０Ｆのうち、右側側面２０Ｅ以外の側面に設けてもよい。
【００６５】
インバータ１２の能力に応じて、コンセント４１Ａ〜４１Ｃの個数を変更してもよい。また、表示部１６を、文字や図形を表示することが可能なディスプレイにより構成してもよい。また、操作スイッチ１７を、押しボタンスイッチ以外のスイッチにより構成してもよい。
【００６６】
水平面に対して天面２０Ａおよび底面２０Ｂを直立させたとき、キャスター８１Ａ，８１Ｂのみが水平面に接触するように構成することもできる。すなわち、トランクボックス２０は、水平面に対して天面２０Ａおよび底面２０Ｂを直立させた運搬姿勢をとってもよい。この場合、水平面に対して天面２０Ａおよび底面２０Ｂを直立させた状態での運搬を容易にするため、キャスターを左側側面２０Ｆに４つ配置するようにしてもよい。
【００６７】
上記実施形態では、通気口４６（吸気口）を前側側面２０Ｃに設け、通気口７２（排気口）を後側側面２０Ｄに設けているが、収納空間Ｓに収納されるインバータ１２の出力の大きさに応じて（出力が大きくなるほど収納空間Ｓに占めるインバータ１２の体積が増加する）、通気口４６，７２をケース２１の他の側面に設けてもよい。また、吸気口および排気口は１つに限らず、複数設けてもよい。この場合、吸気口および排気口の各々をケース２１の複数の面に形成することができる。例えば、ケース２１の底面２０Ｂと左側側面２０Ｆに吸気口を設けることができ、ケース２１の前側側面２０Ｃと後側側面２０Ｄに排気口を設けることもできる。
【符号の説明】
【００６８】
１  可搬型給電装置
１２  インバータ
２０  トランクボックス
２０Ａ  天面
２０Ｂ  底面
２０Ｃ  前側側面
２０Ｄ  後側側面
２０Ｅ  右側側面
２０Ｆ  左側側面
２１  ケース
２２  リッド
３１  電源プラグ
３２  ケーブル
４１Ａ〜４１Ｃ  コンセント
４３  動作開始スイッチ（操作スイッチ）
４４  動作停止スイッチ（操作スイッチ）
４６  通気口
５１  ソケット
７２  通気口
８１Ａ，８１Ｂ  キャスター
８２  ハンドル
Ｓ  収納空間
Ｘ  前後方向
Ｙ  左右方向
Ｚ  上下方向
【図１】
2020202744.tif 000003
【図２】
2020202744.tif 000004
【図３】
2020202744.tif 000005
【図４】
2020202744.tif 000006
【図５】
2020202744.tif 000007
【図６】
2020202744.tif 000008
【図７】
2020202744.tif 000009